(57)【要約】【課題】  コンパクトに折りたたみ、小スペースで保管できるようにする。汚泥を収容部内に持ち込まず、掃除の労を要することがなく、しかも簡単に出入口を形成する。【解決手段】  上下左右の骨体１０を接続して直方体枠１を形成する。直方体枠１のうち前枠１１を中折れ自在に接続する。手押しハンドル２を有する後枠１２を外向きに折りたたみ自在に形成する。側面枠１ａの略中央に開閉扉１ｂを形成する。開閉扉１ｂに対応する下部位置に、常時は下向きのステップ３を直角方向に回動自在に取付ける。【選択図】        図１
2009255817.tif 000002
【特許請求の範囲】
【請求項１】
上下左右の骨体を接続して直方体枠を形成し、前記直方体枠のうち前枠を中折れ自在に接続し、手押しハンドルを有する後枠を外向きに折りたたみ自在に形成することを特徴とする子供施設用運搬車の構造体。
【請求項２】
直方体枠の構成部分である側面枠の略中央に開閉扉を形成し、前記開閉扉に対応する下部位置に、常時は下向きのステップを直角方向に回動自在に取付けることを特徴とする請求項１の子供施設用運搬車の構造体。
【発明の詳細な説明】
【技術分野】
【０００１】
本発明は保育所、幼稚園などの子供用施設において子供達を立ち乗りさせ、主に散歩がわりに使用する手押車の収容体構造に関する。
【背景技術】
【０００２】
従来からこの種の運搬車は４輪付き直方体枠の収容部に複数人の年少児を立ち乗りさせ、手押しする構造であった。
【０００３】
この従来例は容積がかなりあり、保管に難があった。
【０００４】
このため図９（Ａ）（Ｂ）、図１０（Ａ）（Ｂ）で示すように直方体枠を折りたたんで小スペースで保管できるようにしている。
【０００５】
従来Ａ例は図９（Ａ）のコーナーａ１を中心に仮想線で示すように扁平に折りたためるようにしたものであり、従来Ｂ例は図１０（Ｂ）で示すように、符号ｃ、ｄ、ｅおよびｆ点を折りたたんで仮想線で示すようにほぼ尖塔状に折りたためるようにしたものである。
【０００６】
また従来の、この種の運搬車の出入口として、図８で示すように直方体枠１の側面ｂの一部を外側に回動し、スロープｂ１を形成できるようにしたものがある。
【特許文献１】なし。
【発明の開示】
【発明が解決しようとする課題】
【０００７】
従来Ａ例は図９（Ａ）で示すように奥行Ｄ１をＤ３に縮小できるが、幅Ｗ１＋Ｗ３に拡大し、また従来Ｂ例は図１０（Ｂ）で示すように幅をＷ５に縮小できるが、図９（Ｂ）で示すように奥行きがＤ１のままであり、かつ図１０（Ｂ）で示すように高さがＨ１からＨ２になり、非常に高く、不安定である。
【０００８】
本発明は両Ａ、Ｂ例の前記欠点を解決することを第１の課題にする。
【０００９】
また図８で示すように従来の出入口は、降車した年少児が再乗車する際、スロープｂ１に汚泥が残り、これを折りたたむため収容部内部に汚泥が飛び散り、また長いスロープｂ１の開閉自体も作業しづらいものである。
【００１０】
本発明は前記不都合を解消することを第２の課題とするものである。
【課題を解決するための手段】
【００１１】
本発明の第１の手段は、上下左右の骨体を接続して直方体枠を形成し、前記直方体枠のうち前枠を中折れ自在に接続し、手押しハンドルを有する後枠を外向きに折りたたみ自在に形成することを特徴とするものである。
【００１２】
本発明の第２の手段は、直方体枠の構成部分である側面枠の略中央に開閉扉を形成し、前記開閉扉に対応する下部位置に、常時は下向きのステップを直角方向に回動自在に取付けることを特徴とするものである。
【発明の効果】
【００１３】
本発明の第１の手段は、図９、１０で示すように従来Ａ例よりも幅、奥行きを縮小（符号Ｗ２、Ｄ２参照）でき、従来Ｂ例よりも高さは勿論、奥行きを極めて縮小（Ｄ１対Ｄ２参照）することができ、小さいスペースに収容でき、しかも壁に立て掛けたり、積重ねて保管することができる。
【００１４】
本発明の第２の手段は、開閉扉と、水平位置にすることが可能なステップを有するので、掃除が容易であり、汚泥を収容部内に持ち込むことがなく、清潔に使用でき、また出入口を形成する作業も大きい労力を必要とせず、小さい力で容易にすることができる。
【発明を実施するための最良の形態】
【００１５】
上下左右の骨体１０を接続して、直方体枠１を形成する。具体的には正・背・左側・右側面枠により直方体枠１を形成する。
【００１６】
背面枠１ｃは、骨体１０、例えばコ字状金属パイプ１０ａと、最下方に溶着した水平アングル１０ｂと、水平アングル１０ｂのやや上方に平行に掛設した金属パイプ１０ｄ′と、略中央に平行に掛設した補強パイプ１０ｃと、上方に掛設した１０ｄとで形成する。
【００１７】
前枠１１は、１対のコ字状金属パイプ１０ｅ、１０ｅと、各コ字状金属パイプ１０ｅの最下方に溶着した水平アングル１０ｆと、水平アングル１０ｆのやや上方に平行に掛設した金属パイプ１０ｇと、上方に掛設した補強パイプ１０ｈとで形成し、しかも前枠１１が中央で中折れ自在になるように内向縦パイプ１０ｅ′、１０ｅ′同士をその上下位置においてめがね状ヒンジ４、４を介して接続する。
【００１８】
後枠１２も基本的には前枠１１と同じであるが、前記１対のコ字状金属パイプ１０ｅ、１０ｅよりも上方にさらに延出する１対のコ字状金属パイプ１０ｉ、１０ｉと、各コ字状パイプ１０ｉの最下方に溶着した水平アングル１０ｊと、水平アングル１０ｊのやや上方に平行に掛設した金属パイプ１０ｋと、上方に掛設した補強パイプ１０ｌとで形成し、しかも後枠１２が中央で外向きに折りたたみ自在になるように内向縦パイプ１０ｉ′、１０ｉ′同士をその上下位置においてめがね状ヒンジ４、４を介して接続し、各コ字状金属パイプ１０ｉの上方延出部分を外向きかつヘ字状に折り曲げて手押しハンドル２を形成し、折り曲げ部分に金属製の補強パイプ１０ｍを水平に掛設する。
【００１９】
正面枠１ａは開閉扉１ｂを間に左右１対の固定枠１ｆ、１ｆを接続してなり、具体的には各固定枠１ｆは、コ字状金属パイプ１０ｕと、最下方に溶着した水平アングル１０ｎと、水平アングル１０ｎのやや上方に平行に掛設した金属パイプ１０ｒと、上方に掛設した補強パイプ１０ｐとで形成し、また図５で示すように開閉扉１ｂは、Ｃ字状金属パイプ１０ｑと最下方に溶着した水平アングル１０ｎと、垂直縦パイプ１０ｓと、上方に掛設した補強パイプ１０ｔとで形成し、Ｃ字状金属パイプ１０ｑの始端に一体形成した差込軸１０ｗとＣ字状金属パイプ１０ｑの終端を溶着した垂直短管１０ｘに一体形成した差込軸１０ｙをそれぞれ垂直パイプ１０ｓに回動自在に挿入し、しかもＣ字状パイプ１０ｑの縦部１０ｑ′と垂直パイプ１０ｓが左右の固定枠１ｆ、１ｆの略内向縦部１０ｕ′の外方に重なる位置にくる間隔で形成し、垂直パイプ１０ｓを一方の内向垂直部１０ｕ′に溶着する。このため開閉扉１ｂは、固定された垂直パイプ１０ｓ内で差込軸１０ｗ、１０ｙを水平回動させることにより開閉自在になる。
【００２０】
他方の内向垂直部１０ｑ′を他方の内向垂直部１０ｕ′にロック装置５を介して着脱自在に接続する。具体的には図５・６・７で示すように爪状フック５ａと被係止ボルト５ｂとで解・施錠自在に接続する。
【００２１】
各水平アングル１０ｂ、１０ｆ、１０ｊ、１０ｎについて、さらに詳細に説明すると、水平アングル１０ｂ、１０ｎの垂直部は背・正面の全長に渡って外側縦部１０ａ′、１０ａ′、１０ｚ、１０ｚ′に溶着されているが、図２、図４で示すように水平部は各水平アングル１０ｆを折りたたんだときに収まる分、空間ｒをおいてあり、また各水平アングル１０ｊの水平部は折りたたんだときに互いにぶつかることのないような長さ（図４図示）に設定してある。
【００２２】
図５〜７に示すように水平アングル１０ｎのうち開閉扉１ｂに対応する下部位置にコ字状パイプ３０を垂設し、このコ字状パイプ３０の両縦部３０ａ、３０ａの略中央かつ内向面に棒状のストッパー３１を水平に掛け渡すとともにその両端を固着し、またこのコ字状パイプ３０内に常時は下向きのステップ３を回動自在に軸３５支し、水平アングル１０ｎにボルト３３締めした爪片３４でステップ３の上方角部を係止する。また図２で示すように各枠１ａ、１ｃ、１１、１２の角部はめがね状ヒンジ４で回動自在に接続する。ステップ３は図示のような網状の他に多数の小孔を穿ったもの等、靴をこすることにより汚泥が取れ、かつ落下する形状のものであればよく、清潔で効果的である。
【００２３】
図１中、符号６、６は各水平アングル１０ｎに取付けた方向舵輪、７、７は前・後進車輪、また仮想線で示す符号８は１部に網目を有する周囲カバーで、例えばナイロンシートからなる。
【００２４】
次に本実施の形態の使用法および作用を説明する。
【００２５】
図２で示す展開状態の本発明例の各水平アングル１０ｂ、１０ｆ、１０ｊ、１０ｎの内向水平部上に図１で示すように底板９を載置する。
【００２６】
次に図５から図６で示すように爪片３４を回動してステップ３の上方角部の係止を解くとともに軸３５を中心にステップ３を図上、反時計方向に回動して水平状態にし、図６の内向長手部３２をストッパー３１にする。続いて図６・７で示すように開閉扉１ｂのロック装置５を開錠し、開閉扉１ｂを一方の垂直パイプ１０ｓを中心に外方に開扉する。
【００２７】
子供達はこのステップ３を踏み収容内部に入る。手押しハンドル２を押して運搬した後は、前記と逆動作により子供たちを外に出す。
【００２８】
また本発明例を折りたたむには、ステップ３を垂直にし、底板９を取り出し、閉扉する。
【００２９】
次に図３、４、９、１０で示すように一方の前枠１１を中折りにし、また手押しハンドル２を有する他方の後枠１２を外向きに折りたたむ。なお、後枠１２には１対の手押しハンドル２、２があるため、中折りすると相互がつきあたるため、外折りにする。また図４で示すように折りたたんだ状態で各水平アングル１０ｂと１０ｆあるいは水平アングル１０ｊ、１０ｊ同士は衝突することがなく、確実に折りたたまれる。
【００３０】
以上の動作および作用により本発明は前述の効果を有する。
【図面の簡単な説明】
【００３１】
【図１】本発明の実施の形態を示す斜視図である。
【図２】同上の平面図である。
【図３】同上の折りたたみ状態の斜視図である。
【図４】同上の拡大平面図である。
【図５】本発明中の開閉扉とステップを示す拡大斜視図である。
【図６】同上のステップの使用状態を示す拡大斜視図である。
【図７】同上の開閉扉の開扉状態を示す拡大斜視図である。
【図８】従来例の拡大斜視図である。
【図９】従来Ａ、Ｂ例と本発明との平面視による比較説明図である。
【図１０】同上の側面視による比較説明図である。
【符号の説明】
【００３２】
１  直方体枠
１ａ  側面枠
１ｂ  開閉扉
２  手押しハンドル
３  ステップ
１０  骨体
１１  前枠
１２  後枠
【図１】
2009255817.tif 000003
【図２】
2009255817.tif 000004
【図３】
2009255817.tif 000005
【図４】
2009255817.tif 000006
【図５】
2009255817.tif 000007
【図６】
2009255817.tif 000008
【図７】
2009255817.tif 000009
【図８】
2009255817.tif 000010
【図９】
2009255817.tif 000011
【図１０】
2009255817.tif 000012